(57)【要約】本発明は、生まれたばかりの子供用おしゃぶりに関し、より詳しくは、幼児用の成熟を促す誘導おしゃぶりであって、ニップルを含む口内部分、幼児が前記成熟を促す誘導おしゃぶりを嚥下するのを防止するためのシールド、およびニップルをシールドに接続している接続部分、を含む成熟を促す誘導おしゃぶりに関する。成熟を促す誘導おしゃぶりは、出生後の最も早い段階において、幼児の顎、歯列および顔面の神経筋成熟プロセスを誘導して、刺激して、容易にするように構成される。この目的で、ニップルは、幼児の舌が口蓋粘膜に接触することができるように中央ホールを含み、そして、接続部分は、幼児の上下の唇が接触することができるように横に長い開口を含む。【選択図】図２
2015519978.tif 000002
【特許請求の範囲】
【請求項１】
幼児用の成熟を促す誘導おしゃぶりであって、
−ニップル（１）を含む口内部分、
−幼児が前記成熟を促す誘導おしゃぶりを嚥下するのを防止するためのシールド（５）を含む口外部分、
−前記ニップル（１）を前記シールド（５）に接続している接続部分（３）、
を含み、
−前記ニップルは、幼児の舌が口蓋粘膜に接触することができるように中央ホール（ｃｈ）を含み、そして、
−前記接続部分（３）は、幼児の上下の唇が接触することができるように横に長い開口を含む、
成熟を促す誘導おしゃぶり。
【請求項２】
前記接続部分（３）の前記横に長い開口は、前記ニップル（１）を前記シールド（５）に接続している二重の長尺部材（３’）によって形成される、請求項１に記載の成熟を促す誘導おしゃぶり。
【請求項３】
前記二重の長尺部材（３’）は、幼児の上下の唇を収容するためにキャビティを定義している２つの側方アームを有するＵ字形状の形である、請求項２に記載の成熟を促す誘導おしゃぶり。
【請求項４】
前記ニップル（１）を前記シールド（５）に接続している前記二重の長尺部材（３’）は、剛性アームである、請求項２または３に記載の成熟を促す誘導おしゃぶり。
【請求項５】
前記口内部分は、下顎骨延長を刺激するために舌を歯肉から切り離す内部隆起（２）を有する、歯肉および生えてくる最初の門歯のための案内溝をさらに含む、請求項１〜４のいずれか１項に記載の成熟を促す誘導おしゃぶり。
【請求項６】
前記案内溝は、固めるためのそして咬むための咬合床（ｂｐ）、および歯肉を唇から切り離す外部隆起（４）を含む、請求項５に記載の成熟を促す誘導おしゃぶり。
【請求項７】
前記二重の長尺部材（３’）は、舌シールドにおいて安全内包（Ｙ）を含む、請求項１〜６のいずれか１項に記載の成熟を促す誘導おしゃぶり。
【請求項８】
前記ニップル（１）は、その幅において丸くて、その厚みにおいて平坦であり、前記ニップルは、舌の圧力の下でしなやかでかつ可動性のままであるために、空気のコートによって切り離される２枚の耐水リーフでできている、請求項１〜７のいずれか１項に記載の成熟を促す誘導おしゃぶり。
【請求項９】
前記接続部分（３）に接続される外部ハンドル（７）を含む、請求項１〜８のいずれか１項に記載の成熟を促す誘導おしゃぶり。
【発明の詳細な説明】
【技術分野】
【０００１】
本発明は、生まれたばかりの子供用おしゃぶりに関し、したがって、本発明は、育児と健康の分野に関する。
【背景技術】
【０００２】
利用可能な多くの種類の幼児用おしゃぶりがある。すべてのおしゃぶりは、幼児が吸うことができておよび／または噛むことができるニップル、幼児がおしゃぶりを飲み込むのを防止する口シールド、および、幼児におしゃぶりを握持するかまたは保持するための便利な構造を与えるハンドルを有する。概して、おしゃぶりは、複数のコンポーネントでできていておよび／または一体型ユニットとして形成される。複数のコンポーネントでできているおしゃぶりは、堅い口シールドによって囲まれる柔軟なニップルを一般に有する。シールドと、唾液、ほこりなどが蓄積可能なニップルの軸との間に、鋭い角をそして時には割れ目をつくる口シールドの中央における開口を、ニップルは概して通過する。この種のおしゃぶりをきれいに保つことは、時には困難である。加えて、安全性に関する特定の問題は、この種のおしゃぶりと起こってもよい。
【０００３】
一体的に形成されたおしゃぶりは、ニップルに所望の柔軟性を、そして口シールドおよびハンドルに必要な剛性を提供するように選択されたプラスチックで概してできている。一般に、プラスチックの選択は、比較的堅い口シールドおよびハンドルを提供する必要によって決定される。したがって、ニップルは、要求されるよりも正常堅い。
【０００４】
しかしながら、市場に出ているすべての既存のおしゃぶりは、同じ以下の欠点を有する。
−それらは、嚥下のための神経筋系の正常な成熟よりも長く吸い込む幼児の習慣を持続させる。これは、神経筋記憶痕跡（記録）系についての最近の仕事によって確認された。神経筋記憶痕跡についての、および、一方で複雑な口閉鎖（ｔｈｅ  ｃｏｍｐｌｅｘ  ｍｏｕｔｈ  ｃｌｏｓｕｒｅ）の、そして他方で鼻気道機能の主導的役割の成熟についての最近の研究の後（Ｇｅｒａｒｄ  Ｃｏｕｌｙ：Ｄｅｖｅｌｏｐｐｅｍｅｎｔ  ｃｅｐｈａｌｉｑｕｅ：ｅｍｂｒｙｏｌｏｇｉｅ，  ｃｒｏｉｓｓａｎｃｅ，  ｐａｔｈｏｌｏｇｉｃ．  Ｅｄ．  ＣＤＰ  １９９１；ｈｔｔｐ：／／ｗｗｗ．ｄｅｎｔａｌｅｓｐａｃｅ．ｃｏｍ／ｄｅｎｔｉｓｔｅ／ｆｏｒｍａｔｉｏｎ／３９４−ｇｕｉｄｅ−ｐｏｕｒ−ｐｒｅｖｅｎｔｉｏｎ−ｅｆｆｅｔｓ−ｎｏｃｉｆｓ−ｓｕｃｅｔｔｅｓ−ｓｕｒ−ｐｏｓｉｔｉｏｎ−ｄｅｎｔｓ．ｈｔｍｌ：参照）、神経筋成熟プロセスは、一歩一歩、スライス・バイ・スライスに進行していること、そして、あらゆる普通のおしゃぶりまたはダミーの使用は、以下の基本的なステップの記録をブロックすることが証明された：唇の閉鎖；鼻入力筋肉系の正常な仕事の開始；両顎関係の空間位置確認の認識；正面の閉鎖の、および内部と外部との空間の間の制限の、舌の認識。
【０００５】
舌が上に伸びて口蓋に接することができ、そしてあらゆる嚥下（２０００回以上／２４時間）において正しい圧力によって幅におけるその発育を促進できることは、第１ステップである。上下の歯肉との間の正しい空間的接触の認識および記録が舌の永続的な通過によって妨げられる場合、この舌は、上下の乳門歯の正しい出会いを妨げる。そして実際のところ、大人の門歯（７歳）が吸うのを止めて、正常な咬合を回復するのを、子供が待つことができるということは誤りである。
【０００６】
−それらは、一方の部分上の唇と他方の部分上の歯肉との間に正常な前部接触を妨げる（以下の新しいデータおよびおしゃぶりの使用の推奨ならびにそれらのより重要な不都合：ｈｔｔｐ：／／ｗｗｗ．ｎｃｂｉ．ｎｌｍ．ｎｉｈ．ｇｏｖ／ｐｍｃ／ａｒｔｉｃｌｅｓ／ＰＭＣ２７９１５６１／？ｌｏｇ＄＝ａｃｔｉｖｉｔｙ参照）。それらは、唇の、および歯肉の正面の中心の部分の、成熟を促す接触および閉鎖を回避する。唇の閉鎖および正しい筋肉の訓練は、夜間の鼻換気の正常な実施を許容する第１ステップである。夜間の鼻換気の基本的な役割は、前頭葉域の静脈血の正しい熱換気を許容することである。上唇が正常な仕事を開始しなくて、弛緩性のままである場合、鼻孔の筋肉構造は、正常に動き始めることができなくて、正しい鼻機能は妨げられる。
【０００７】
−それらは、口蓋の変形および、将来の両方の歯列弓間の食い違いを容易にする。夜の睡眠の間（成長ホルモンのより強い生産段階）、口蓋に上部でくっついて動けない舌の正しい位置が、あらゆる飲み込み（ｇｕｌｐ）での舌の垂直圧によって底部から、そして、吸気−呼気によるあらゆる鼻二重刺激における鼻孔筋肉構造の幅の刺激によって上部から、永久に受ける刺激に応じて、その展開を許容するためにこれを支持するにつれて、それらの２つの第１のポイントの間に関連がある。要約すると、唇、頬の外側と舌の内側、および中央の歯の間の良好なバランスの複雑機構の第１ステージの妨害は、生理学および口歯の形態の全体の遅延および妨害を強化しそうである。
【０００８】
さらに、真に歯列矯正おしゃぶりの義務的な最小限の条件は、以下のリンクで与えられる：ｈｔｔｐ：／／ｗｗｗ．ｏｒｔｈｏｄｏｎｔｉｅ−ｆｒ．ｃｏｍ／ｍｏｄｅｌｅｓ／ｎｅｗｓ／ａｒｔｉｃｌｅ．ｐｈｐ？ｓｔｏｒｙｉｄ＝４７＆ｐａｇｅ＝４。
【０００９】
このウェブサイトで言われるように：ｈｔｔｐ：／／ｗｗｗ．ｄｅｎｔａｌｅｓｐａｃｅ．ｃｏｍ／ｄｅｎｔｉｓｔｅ／ｆｏｒｍａｔｉｏｎ／３９４−ｇｕｉｄｅ−ｐｏｕｒ−ｐｒｅｖｅｎｔｉｏｎ−ｅｆｆｅｔｓ−ｎｏｃｉｆｓ−ｓｕｃｅｔｔｅｓ−ｓｕｒ−ｐｏｓｉｔｉｏｎ−ｄｅｎｔ．ｈｔｍｌ，「理想的なおしゃぶりは、当面は市場に存在しない。そして、おしゃぶりの機能に関する法的枠組みの欠如がセクターの革新の大きな不足につながることは通知する必要がある。結果の制約がないとすれば、企業家は、調査にほとんど投資しない。誰も、理想的なおしゃぶりを白板上に引き寄せるために科学者に尋ねるアプローチをしなかった。これらの産業が繁盛しているまさしくそのとき、毎年増加する出生数によって保持された。さらに、それが大きい産業グループによって支配されるセクターの若いクリエータの革新の意志を阻害するので、立法制約の欠如は危険である。」
【００１０】
特許文献１は、吸うためのニップル（３）、ニップルを支持するキャリア（５）、およびそれを飲み込むのを防止するための少なくとも１つのストッパ（７）を有する幼児のダミーまたはおしゃぶり（１）を解説する。キャリアは、上下の歯および歯肉を受け入れるために湾曲（３１、３３）を有する。ストッパは、インプレッション（３５）を有する下咬みおよび／または上咬み（１１）を有する。ダミーは、グリップ止め輪（２１）またはボタンを有する。キャリアは、少なくとも部分的にエラストマ、弾性のあるまたは弾性のないプラスチック、金属、ゴムまたはラテックスでありえる。
【００１１】
特許文献２（Ｃａｓｓｉｍａｌｌｙ）は、幼児の口に挿入可能であり、そして、幼児の口への装置のさらなる挿入を防止するためのベースを有する複数の接続部材でつながれる、バグレット（ｂａｇｌｅｔ）を含む歯科矯正装置を記載する。間隔を置かれた接続部材は、その間に、幼児の舌のためのガイドとして作用する中央貫通孔を定める。この歯科矯正装置が運動用具またはおしゃぶりとして形成されるときに、ベースは、環をその後部に取り付けた口シールドまたはガードの形においてある。この歯科矯正装置がミルク送給ニップルとして形成されるときに、ベースは、牛乳瓶の頸部と密閉係合のためのリップを有するキャップを保持する空所から成る。複数の接続部材は中空であり、保持しているキャップをバグレットに接続するためのミルク送給チャネルを定める。そしてそれは中空であり、口に入っている端部にミルク送給オリフィスを有する。
【００１２】
正面の歯列不正および結果として生じる顎異常を回避するために、特許文献３によるダミー乳首は、吸う突起（５）が堅く固定されるかまたは、合成樹脂またはゴムで被覆されたワイヤを介して制限された範囲を回転可能であるように、顎の理想的形状にカーブするシールドプレート（１）を有する。ブラケット（４）は、それが乳犬歯と乳臼歯との間のギャップにおいて停止するように配置される。その結果、ダミー乳首が使われるときでさえ前歯は互いの上に静止して、したがって、正しい咬合とともに成熟することができる。
【００１３】
頬のおよび顔の物理的発達の正常な神経記録および平衡機能を高めるために、このように、幼児をできるだけ早く（１ヵ月から２年まで）援助する必要が、まだある。
【先行技術文献】
【特許文献】
【００１４】
【特許文献１】独国特許公開第１０２００４０３１  １０６号
【特許文献２】米国特許第３，９２４，６２１号
【特許文献３】独国特許第３２４７０７４号
【発明の概要】
【発明が解決しようとする課題】
【００１５】
したがって、本発明の目的は、舌、歯肉および将来の歯、そして唇のための別々のフィールドを有し、そして、正しい位置決めおよび正しい神経筋プログラミングおよび成熟を許容する、新型のおしゃぶりを提供することである。ならびに、上記で述べたすべての欠点を永久に回避すること。
【課題を解決するための手段】
【００１６】
この目的は、幼児用の成熟を促す誘導おしゃぶりであって、ニップルを含む口内部分、幼児が前記成熟を促す誘導おしゃぶりを嚥下するのを防止するためのシールド、およびニップルをシールドに接続している接続部分、を含む成熟を促す誘導おしゃぶりによって達成される。成熟を促す誘導おしゃぶりは、出生後の最も早い段階において、幼児の顎、歯列および顔面の神経筋成熟プロセスを誘導して、刺激して、容易にするように構成される。この目的で、ニップルは、幼児の舌が口蓋粘膜に接触することができるように中央ホールを含み、そして、接続部分は、幼児の上下の唇が接触することができるように横に長い開口を含む。
【００１７】
本発明による成熟を促す誘導おしゃぶりは、以下の３つの態様に基づく。
−鼻呼吸を助けて、成熟した嚥下に向けてプロセスを開始するために、唇は、接合しなければならない。
−下顎骨の延長による上下の歯列弓の間の空間の３つの方向における平衡関係を導いている圧受容器であるパッチーニ（Ｐａｃｃｉｎｉ）のそれらの過多の内部の血球を改善するために、歯肉は、接合しなければならなくて、一緒に動かなければならない。
−舌は、口蓋に対して、そして認識手順が非常に容易であるその新しい位置を見つけなければならない。
【００１８】
本発明の他の目的は、添付の説明において明らかなである。
【図面の簡単な説明】
【００１９】
【図１Ａ】図１Ａは、本発明のおしゃぶり、および向こう側の図による口の中に置かれるそのさまざまなエレメントを示す。
【図１Ｂ】図１Ｂは、筋肉の接続および神経記録のための３つのオリジナルのスペースを有する本発明のおしゃぶりの横から見た断面を示す。
【図１Ｃ】図１Ｃは、誘導スペースを切り離す異なるコンポーネントを有する本発明のおしゃぶりの横から見た断面を示す。
【図２】図２は、上から見た（頂部から見た）本発明のおしゃぶりを示す。
【図３】図３は、舌側から見た本発明のおしゃぶりを示す。
【図４】図４は、外側からの本発明のおしゃぶりを示す。
【発明を実施するための形態】
【００２０】
本明細書において記載されたそれらに類似のまたは等しい方法および材料が本発明の実施またはテストにおいて使用されることができるにもかかわらず、好適な方法および材料は後述する。本明細書において記載されたすべての刊行物、特許出願、特許および他の参考文献は、参照により完全に組み込まれる。本明細書において述べられる刊行物および出願は、本出願の出願日の前に単にそれらの開示のためにだけ提供される。本発明が従来の発明によってこの種の刊行物に先だつ権利がないという承認として、本明細書において何も解釈されるべきでない。加えて、材料、方法および実施例は、例示のためだけであり、制限することを意図しない。
【００２１】
コンフリクトの場合、定義を含む本明細書は、コントロールする。さもなければ定められない限り、本明細書において用いられるすべての技術的および科学的用語は、本明細書における主題が属する技術における当業者によって一般に理解されているものと同じ意味を有する。本明細書において用いられるように、以下の定義は、本発明の理解を容易にするために供給される。
【００２２】
本明細書において用いられるように、以下の定義は、本発明の理解を容易にするために供給される。
【００２３】
本明細書において用いられるように、「１」または「１つ」は、「少なくとも１つ」または「１つ以上」を意味する。
【００２４】
用語「含む」は、含む、すなわち１つ以上の特徴またはコンポーネントの存在を可能にするという意味において一般に使用する。
【００２５】
用語「成熟を促す誘導おしゃぶり（ｍａｔｕｒａｔｉｖｅ  ｇｕｉｄｉｎｇ  ｐａｃｉｆｉｅｒ）」は、このデバイスが、口および下部顔面（唇、舌、歯肉および歯）の生理的発達の各主体が以下の段階的なプロセス（唇に対する唇−口蓋に対する舌−歯肉に対する歯肉）を機能に取り入れて、他のパーツとの正常なバランスのとれた関係において成長するのを援助するという事実に対応する。
【００２６】
本発明の目的は、幼児用の成熟を促す誘導おしゃぶりであって、
−ニップル（１）を含む口内部分、
−幼児が前記成熟を促す誘導おしゃぶりを嚥下するのを防止するためのシールド（５）を含む口外部分、
−ニップル（１）をシールド（５）に接続している接続部分（３）、
を備え、
−ニップルは、幼児の舌が口蓋粘膜に接触することができるように中央ホール（ｃｈ）を含み、そして、
−接続部分（３）は、幼児の上下の唇が接触することができるように横に長い開口を含む、
幼児用の成熟を促す誘導おしゃぶりを提供することにある。
【００２７】
本発明の好ましい実施形態において、成熟を促す誘導おしゃぶりの接続部分（３）の横に長い開口は、前記ニップル（１）を前記シールド（５）に接続している二重の長尺部材（３’）によって形成される。
【００２８】
さらなる実施形態において、二重の長尺部材（３’）は、幼児の上下の唇を収容するためにキャビティを定義している２つの側方アームを有するＵ字形状の形であり、前記ニップル（１）を前記シールド（５）に接続している二重の長尺部材（３’）は、剛性アームである。
【００２９】
好ましい実施形態において、口内部分は、下顎骨（下顎軟骨）延長を刺激するために舌を歯肉から切り離す内部隆起（２）を有する、歯肉および生えてくる最初の門歯のための案内溝（２）−（４）を含む。
【００３０】
別の実施形態において、案内溝（２）−（４）は、固めるためのそして咬むための咬合床（ｂｐ）、および歯肉を唇から切り離す外部隆起（４）を含む。
【００３１】
さらなる実施形態において、二重の長尺部材（３’）は、舌シールドにおいて安全内包（ｓａｆｅｔｙ  ｉｎｃｌｕｓｉｏｎ）（Ｙ）を含む。好ましくは、案内溝に位置する安全内包（Ｙ）は、丸くて、カーブしている。本発明の特定の実施形態において、この安全内包（Ｙ）は、その雌部分（接続部分３のピース）が内側（舌の側）上のすなわち「ニップル＋咬合床」（１＋４）の留め金ボタンとして留められるスナップのように見えてもよい。口外部分の口内部分（ニップル）を切り離すために引っ張る場合、エレメント（３＋Ｙ）および（１＋４）は、例えば鎖の２つのリンクに抵抗するように固定される。安全内包（Ｙ）の他の結鎖システムは、当業者によって、例えばフックまたは掛け金または、安全で抵抗および強い結合を提供する任意の他の手段を想像されてもよい。
【００３２】
好ましい実施形態において、ニップル（１）は、その幅において丸くて、その厚みにおいて平坦であり、そして、舌の圧力の下でしなやかでかつ可動性のままであるために、空気のコートによって切り離される２枚の耐水リーフで好ましくはできている。
【００３３】
本発明の別の目的において、成熟を促す誘導おしゃぶりは、接続部分（３）に接続している外部ハンドル（７）を備える。
【００３４】
本発明は、さまざまな関係するパーツの発達のあらゆるステージの解決策を提案するために、全く異なる概念に従う。図１Ａおよび図１Ｂは、向こう側の図（ｏｐｐｏｓｉｔｅ  ｐｌａｎ）による本発明のおしゃぶりを示す：
−内側の舌スペース（Ａ）、
−中央における歯肉と生えてくる門歯との接合のための通路（Ｂ）、および、
−外側の唇の接合のための空間（Ｃ）、
そのように確保されるあらゆる空間は、案内平均（または形）によって、以下のものから切り離される：
内側の舌と外側の歯肉および生えてくる歯との間の内部隆起（２）、
内側の歯肉および歯と外側の唇との間の外部隆起（４）。
【００３５】
したがって、本発明は、すべての利用可能なモデルのすべての共通の有害な効果を回避する。そしてさらに、このおしゃぶりは、口の、そして鼻呼吸の正常な生理的成熟プロセスの第１ステップのために助ける。さらに、本発明による幼児用の成熟を促す誘導おしゃぶりは、身体スキーマを完成するように、神経記録に役立つ空間的キューに適している。本発明は、歯列弓（モデル１：０から４本の歯−モデル２：４本から乳歯列完成まで）の発達段階にしたがって、寸法の増加と共に、例えば２つのバージョンにおいて使用を減少されてもよい。
【００３６】
本発明のおしゃぶりは、内側から外側に唇によって制限される２つのパーツ（口内部分および口外部分）に記載されてもよい（図１Ａ−図１Ｃ参照）。
【００３７】
口内部分（図１Ｃ）：
特定の形状（下側上の内部隆起環（２））を有するニップル（１）は、生まれたばかりの子供が外部隆起（４）のための前記したような歯肉および唇のものから舌の運動支配衝撃を切り離してオートノマイズ（ａｕｔｏｎｏｍｉｚｅ）するのを助ける。特にこの内部隆起形状（２）は、下顎骨（下顎）の突起がニップル（１）をつかんで保持するのを助ける。このニップルは、神経に敏感な接触および、口蓋粘膜を触診する舌による自動認識を起動させる中央ホール（ｃｈ）を備える。エレメント（２）−（４）は、歯肉および生えて来る第１の門歯のための案内溝である。内部隆起またはエッジ（２）は、舌を歯肉から切り離し、外部隆起として定義される固めて咬むためのトレイもまた歯肉を唇から切り離す。
【００３８】
外部隆起（４）は、歯肉の（犬歯から犬歯までが含まれる）正面の部分（我々が「犬歯（ｉｎｃｉｓｉｖｏ）−犬歯のアーチ」と言うもの）のための「記録接触器」のようである。この部分は、残りの歯肉よりもゴルジ血球をずっと多く含む（Ｇｅｒａｒｄ  Ｃｏｕｌｙの刊行物参照）。そして、この部分は、両方の将来の歯列弓の圧力を一緒に反応して記録する第１ステップである。
【００３９】
口外部分（図２）：
舌シールド（Ｙ）（図３参照）への安全内包については、エレメント（５）は、外部シールドに、そして、両方のパーツ間の接続の外部抵抗システムに対応する二重の長尺部材（または腕）（３’）に対応する。二重の長尺部材（３’）（例えばＵ字形状の２つの対称形のリンクに対応する）が中心接触および唇（第１）と歯肉（第２）との神経筋記録を許容するにつれて、これは、本発明の重要な態様である。
【００４０】
接続部分（３）と同様に、口内部分、ニップル（１）および案内溝（２）−（４）のすべてのこれらのコンポーネントは、例えば、医学品質の非常に柔らかいシリコーンを用いて１つのパーツにおいて一緒に作られる。ニップル（１）は、舌の圧力の下で、枕として、柔軟でおよび可動性のままであるために、通常、その幅において丸くて、その中心において中空であるが、その厚みにおいて平坦であり、環のように見えて、空気のコートによって切り離される２枚の耐水葉によって好ましくはできている。
【００４１】
ニップルの内部隆起（２）および外部隆起（４）によって制限される咬合床（ｂｐ）は、２つの最初の生えてくる門歯の最初の噛む力に抵抗するのに十分強い。
【００４２】
この咬合床ｂｐおよび案内溝（２）−（４）は、接続部材（３）、外部シールド（５）を有する外部抵抗リンク（６）を含む。外部ハンドル（７）および、ハンドル（すなわち、外部抵抗リンク（６））を連結するための手段も、提供される。咬合高径を減らして、大きい舌小帯（ｔｏｎｇｕｅ  ｆｒｅｎｕｍ）または外部の唇小帯（ｌｉｐ  ｆｒｅｎｕｍ）の偶然性を尊重するために、口内部分の外部および内部隆起（２）＋（４）または案内溝は、中央カーブを用いて設計される。
【００４３】
両方のパーツ（口内部分および口外部分）間の接続部材（３）は、外部安全シールドを有する１つのパーツでできていて、両方とも、例えば強いプロピレンプラスチックでできている。内側から外側まで、案内溝、二重の長尺部材（３’）または外部シールドまで外側に出ているリンクにおいて、丸くてカーブした安全内包（Ｙ）がある。その結果、唇は、いかなる対抗もなく中心に集まることができる。この二重の長尺部材（３’）は、好ましくは非常に軽い設計を有する、そして最も好ましくは非常に軽い重量を有するためにいくつかの穴を有する、完全な外部シールド（５）とともに続いている（図３および図４参照）。この外部シールド（５）の設計は、唇の突出したレリーフに続く（図４上の８参照）。それで、通常のモデルと同様に、唇は、顔面に対してもう押圧されない。そして、それらは閉じることができて、動くことができて、いかなる正面の圧迫もなく発達することができる。
【００４４】
口内部分（１）＋（２）＋（４）は、医学品質の柔らかいシリコーンで好ましくはできている。これに対して口外部分（５）＋（３）は、プロピレンプラスチックで好ましくはできている。
【００４５】
好ましくは、本発明のおしゃぶりを構成している材料は、普通の基準にしたがって作られる。ＥＮ標準１４００；おしゃぶりの米消費者製品安全委員会要件（１６Ｃ．Ｆ．Ｒ．パート１５１１）ならびにヨーロッパの生えてくる新しい基準。
【００４６】
当業者は、本明細書において記載されている本発明が特に記載されたそれら以外の変形および変更に影響されやすいことを認識するであろう。本発明がその精神または本質的特徴を逸脱しない範囲ですべてのこの種の変形および変更を含むことを理解すべきである。本発明はまた、この明細書において個々にまたは集合的に参照されるかまたは示されるステップ、特徴、構成物および合成物の全て、ならびに、前記ステップまたは特徴の任意のおよびすべての組み合わせまたは任意の２つ以上を含む。本開示は、したがって、例示されて制限されない全ての態様として考慮される。添付の請求の範囲によって示されている本発明の範囲、そして等価の意味および範囲の中に来るすべての変更は、そこにおいて受け入れられることを意図する。
【図１Ａ】
2015519978.tif 000003
【図１Ｂ】
2015519978.tif 000004
【図１Ｃ】
2015519978.tif 000005
【図２】
2015519978.tif 000006
【図３】
2015519978.tif 000007
【図４】
2015519978.tif 000008
【国際調査報告】
2015519978.tif 000009
2015519978.tif 000010